(57)【要約】【課題】本発明は、ドラフト画像のモニタ表示と、記録画像の撮影範囲との齟齬を改善することを目的とする。【解決手段】本発明は、電子カメラにおいて、次の撮像部、画像処理部、画像表示部、記録部、および画角調整部を備える。撮像部は、ライン間引きされた高速フレームレートのドラフト画像と、高解像度で低フレームレートの記録画像とを選択出力する。画像処理部は、ドラフト画像および記録画像に２次元フィルタ処理を施す。画像表示部は、ドラフト画像をモニタ表示する。記録部は、記録画像を記録する。画角調整部は、画像処理からモニタ表示までにドラフト画像のライン数が低減する比率（以下『低減比率』）に応じ、記録画像の画面端のラインを削除する。この画角調整により、ドラフト画像と記録画像の画角差を軽減する。【選択図】        図５
2005012521.tif 000002
【特許請求の範囲】
【請求項１】
被写体像を撮像して得られる画像データに、画像処理を施して記録する電子カメラであって、
読み出しシーケンスの切り換えにより、ライン間引きされた低解像度かつ高速フレームレートのドラフト画像と、高解像度で低フレームレートの記録画像とを選択的に出力する撮像部と、
前記撮像部から出力されたドラフト画像および記録画像に対して、２次元フィルタ処理を含む画像処理を施す画像処理部と、
前記画像処理部から出力されたドラフト画像に基づいてモニタ表示を実施する画像表示部と、
前記画像処理部から出力された記録画像を記録する記録部とを備え、
前記画像処理から前記モニタ表示までに前記ドラフト画像のライン数が低減する比率（以下『低減比率』）に応じて、前記記録画像の画面端のラインを削除する画角調整部を備え、
前記画像表示部に表示される前記ドラフト画像と、前記記録部に記録される前記記録画像との画角（視野）を近づける
ことを特徴とする電子カメラ。
【請求項２】
請求項１に記載の電子カメラにおいて、
前記画角調整部は、
前記低減比率をファインダー視野率（縦比率）の仕様値で除した比率で、前記記録画像の画面端のラインを削除する
ことを特徴とする電子カメラ。
【請求項３】
請求項１または請求項２に記載の電子カメラにおいて、
前記画角調整部は、
前記記録画像のアスペクト比の仕様値に略一致するように、前記記録画像の側部の画素も削除する
ことを特徴とする電子カメラ。
【請求項４】
請求項３に記載の電子カメラにおいて、
前記画角調整部は、
前記側部の画素を削除した前記記録画像の水平画角に応じて、前記ドラフト画像の側部の画素を省いて、モニタ表示の画像とする
ことを特徴とする電子カメラ。
【請求項５】
請求項１ないし請求項４のいずれか１項に記載の電子カメラにおいて、
前記記録部は、所定のユーザー操作に応じて、『前記画角調整部による画角調整済みの前記記録画像』と『画角未調整の前記記録画像』とを選択的に記録する
ことを特徴とする電子カメラ。
【請求項６】
請求項５に記載の電子カメラにおいて、
前記撮像部はズーム機能を有し、
前記記録部は、ワイド端を除くズーム範囲において、前記画角調整部による画角調整済みの前記記録画像を選択的に記録し、前記ワイド端において画角調整未処理の前記記録画像を選択的に記録する
ことを特徴とする電子カメラ。
【請求項７】
請求項５ないし請求項６のいずれか１項に記載の電子カメラにおいて、
前記画像表示部は、記録画像を再生表示する機能を有し、画角未調整の前記記録画像の再生表示に際して、ドラフト画像の画面サイズを示す表示を合わせて表示する
ことを特徴とする電子カメラ。
【請求項８】
読み出しシーケンスの切り換えにより、ライン間引きされた低解像度かつ高速フレームレートのドラフト画像と、高解像度で低フレームレートの記録画像とを選択的に出力する撮像装置であって、
前記ドラフト画像の画面端のライン間隔を、前記ドラフト画像の中央域のライン間隔よりも密に読み出す読み出し部を備えた
ことを特徴とする撮像装置。
【発明の詳細な説明】
【０００１】
【発明の属する技術分野】
本発明は、撮像素子からライン間引きして読み出される低解像度かつ高速フレームレートのドラフト画像をモニタ表示する電子カメラに関する。
【０００２】
【従来の技術】
従来、電子カメラにおいて、撮像素子の画像データを画面縦方向に間引いて読み出し、高速フレームレート（３０フレーム／秒など）のドラフト画像を生成するものが知られている。
ユーザーは、このドラフト画像を、電子カメラのモニタ画面や電子ビューファインダで観察することにより、電子カメラの撮影構図を適宜に決定することができる。
【０００３】
このような撮影構図の決定後、ユーザーがレリーズ操作を行うことにより、電子カメラは、撮像素子から高解像度かつ低速フレームレートの記録画像を読み出す。電子カメラは、この記録画像を記録媒体に保存記録する。
ところで、電子カメラは、ドラフト画像および記録画像に対して、２次元フィルタ処理（色補間、ノイズ除去フィルタ処理、またはエッジ強調フィルタ処理など）を個別に実施する（特許文献１参照）。
【０００４】
【特許文献１】
特開２００２−５７９３７号公報（段落００２８，００２９など）
【０００５】
【発明が解決しようとする課題】
上述した２次元フィルタ処理では、処理対象の画素を含む周辺画素を画素ブロックとし、その画素ブロックの単位ごとに演算処理を実行する。このとき、画像データの上下左右端では、画素ブロックを構成する画素が揃わず、２次元フィルタ処理のたびに上下左右の画素が欠落する。
【０００６】
特に、ドラフト画像は、ライン間引きにより、縦方向の画素数が、横方向の画素数に比べて格段に粗くなっている。そのため、ドラフト画像に２次元フィルタ処理を行うと、縦方向に画素欠落の影響が強く現れ、ドラフト画像の画面サイズが縦方向に偏って狭くなる。
一方、高解像度の記録画像は、縦横両方に画素間隔が密であるため、２次元フィルタ処理を経ても、画素欠落に伴う画面サイズの変化は無視できる程度である。
【０００７】
このような理由から、ドラフト画像と記録画像とでは、縦方向の画面サイズに顕著な齟齬を生じる。そのため、ユーザーは、ドラフト画像のモニタ表示（いわゆるライブビュー）に基づいて、記録画像の縦方向の撮影範囲を正確に判断できず、撮影構図を厳密に調整できないという問題点があった。
特に、ユーザーがモニタ表示を参考に主要被写体のレイアウトを調整した場合、記録画像はより広画角に撮影されるため、主要被写体のサイズがユーザーの意図よりも小さく写ってしまう。その上、記録画像の画面周辺には、モニタ表示になかった余計な物体が写り込むなどの問題を生じやすい。
その結果、ユーザーがモニタ表示から意図しなかった、迫力不足かつ散漫な印象の記録画像になりやすいという問題点があった。
そこで、本発明は、上述した問題に鑑みて、ドラフト画像のモニタ表示と、記録画像の撮影範囲との齟齬を改善するための技術を提供することを目的とする。
【０００８】
【課題を解決するための手段】
以下、本発明について説明する。
【０００９】
《請求項１》
請求項１に記載の発明は、被写体像を撮像して得られる画像データに、画像処理を施して記録する電子カメラであって、次の撮像部、画像処理部、画像表示部、記録部、および画角調整部を備える。
すなわち、撮像部は、読み出しシーケンスの切り換えにより、ライン間引きされた低解像度かつ高速フレームレートのドラフト画像と、高解像度で低フレームレートの記録画像とを選択的に出力する。
画像処理部は、撮像部から出力されたドラフト画像および記録画像に対して、２次元フィルタ処理を含む画像処理を施す。
画像表示部は、画像処理部から出力されたドラフト画像をモニタ表示する。
記録部は、画像処理部から出力された記録画像を記録する。
画角調整部は、画像処理からモニタ表示までにドラフト画像のライン数が低減する比率（以下『低減比率』）に応じて、記録画像の画面端のラインを削除する。
この画角調整部の動作により、画像表示部に表示されるドラフト画像と、記録部に記録される記録画像との画角（視野）を従来よりも近づけるが可能になる。
【００１０】
《請求項２》
請求項２に記載の発明は、請求項１に記載の電子カメラにおいて、画角調整部は、低減比率をファインダー視野率（縦比率）の仕様値で除した比率で、記録画像の画面端のラインを削除する。
【００１１】
《請求項３》
請求項３に記載の発明は、請求項１または請求項２に記載の電子カメラにおいて、画角調整部は、記録画像のアスペクト比の仕様値に略一致するように、記録画像の側部の画素も削除する。
【００１２】
《請求項４》
請求項４に記載の発明は、請求項３に記載の電子カメラにおいて、側部の画素を削除した記録画像の水平画角に応じて、ドラフト画像の側部の画素を省いて、モニタ表示の画像とする。
【００１３】
《請求項５》
請求項５に記載の発明は、請求項１ないし請求項４のいずれか１項に記載の電子カメラにおいて、記録部は、所定のユーザー操作に応じて、『画角調整部による画角調整済みの記録画像』と『画角未調整の記録画像』とを選択的に記録する。
【００１４】
《請求項６》
請求項６に記載の発明は、請求項５に記載の電子カメラにおいて、撮像部はズーム機能を有し、記録部は、ワイド端を除くズーム範囲において、画角調整部による画角調整済みの記録画像を選択的に記録し、ワイド端において画角調整未処理の記録画像を選択的に記録する。
【００１５】
《請求項７》
請求項７に記載の発明は、請求項５ないし請求項６のいずれか１項に記載の電子カメラにおいて、画像表示部は、記録画像を再生表示する機能を有し、画角未調整の記録画像の再生表示に際して、ドラフト画像の画面サイズを示す表示を合わせて表示する。
【００１６】
《請求項８》
請求項８に記載の発明は、読み出しシーケンスの切り換えにより、ライン間引きされた低解像度かつ高速フレームレートのドラフト画像と、高解像度で低フレームレートの記録画像とを選択的に出力する撮像装置である。この撮像装置は、ドラフト画像の上下端のライン間隔を、ドラフト画像の中央域のライン間隔よりも密に読み出す読み出し部を備えることを特徴とする。
【００１７】
【発明の実施の形態】
以下、図面に基づいて本発明にかかる実施形態を説明する。
【００１８】
［本実施形態の構成説明］
図１は、本実施形態における電子カメラ１１のシステムブロック図である。図２は、図１中に示す画像処理回路１６の内部ブロック図である。
以下、図１および図２に基づいて、電子カメラ１１の構成を説明する。
電子カメラ１１には、撮影レンズ１２が装着される。この撮影レンズ１２の像空間には、撮像素子１３が配置される。この撮像素子１３は、読み出しシーケンスの切り換えにより、全画素読み出しにより記録画像を読み出すモードと、ライン間引きをしながらドラフト画像を読み出すドラフトモードとをモード選択できる。
【００１９】
撮像素子１３の出力は、Ａ／Ｄ変換部１４，および撮像素子ＩＦ（インターフェース）回路を介して画像処理回路１６に入力される。
この画像処理回路１６は、欠陥補正部４１、ＯＢクランプ部４２、ゲイン／ＷＢ調整部４３、ガンマ補正部４７、色補間部４８、色変換部４９、解像度変換部５０、空間フィルタ５１、および間引き部５２が配置される。このゲイン／ＷＢ調整部４３は、入力バッファ４５および出力バッファ４６を介して、画像データの高速転送用のピクチャーバス２１に接続される。さらに、ゲイン／ＷＢ調整部４３は、出力バッファ４４を介して、システムバス２３に接続される。また、４：２：２などの色間引きを行う間引き部５２は、出力バッファ５３を介して、ピクチャーバス２１に接続される。さらに、解像度変換部５０は、システムバス２３に接続される。
【００２０】
画像処理回路１６で処理された記録画像は、専用バスまたはピクチャーバス２１を介して画像圧縮部１７に入力される。画像圧縮部１７で生成された記録画像の圧縮ファイルは、システムバス２３およびカードＩＦ２９を介して、メモリカード３０に記録保存される。
一方、画像処理回路１６で処理されたドラフト画像は、ピクチャーバス２１およびＦＩＦＯ（先入れ先出しメモリ）１８を介して表示コントローラ１９に入力される。この表示コントローラ１９は、液晶パネル２０にドラフト画像をモニタ表示する。
【００２１】
さらに、ピクチャーバス２１およびシステムバス２３は、バスインターフェース２２を介して、ＳＤＲＡＭ（Ｓｙｎｃｈｒｏｎｏｕｓ  ＤＲＡＭ）３５、ＲＯＭ３６、およびＩ／Ｏデバイス３７に接続される。
また、システムバス２３には、ＭＰＵ（Ｍｉｃｒｏ  Ｐｒｏｃｅｓｓｏｒ  Ｕｎｉｔ）２４、ＵＳＢ（Ｕｎｉｖｅｒｓａｌ  Ｓｅｒｉａｌ  Ｂｕｓ）２７、およびシリアルポート３１，３３が接続される。
ＭＰＵ２４は、シリアルポート３１およびレンズモータ駆動部３２を介して、撮影レンズ１２を駆動する。また、ＭＰＵ２４は、シリアルポート３３およびタイミングジェネレータ３４を介して、撮像素子１３などに制御信号を与える。
【００２２】
［発明との対応関係］
以下、発明と本実施形態との対応関係について説明する。なお、ここでの対応関係は、参考のために一解釈を例示するものであり、本発明を徒らに限定するものではない。
請求項記載の撮像部は、撮像素子１３および撮影レンズ１２に対応する。
請求項記載の画像処理部は、画像処理回路１６に対応する。
請求項記載の画像表示部は、表示コントローラ１９およびＭＰＵ２４に対応する。
請求項記載の記録部は、カードＩＦ２９およびＭＰＵ２４に対応する。
請求項記載の画角調整部は、解像度変換部５０およびＭＰＵ２４に対応する。
【００２３】
［本実施形態の動作説明］
以下、本発明に係わる電子カメラ１１の動作を説明する。
【００２４】
（１）記録画像の画角調整
撮像素子１３の撮像面には、横２０８８画素×縦１５５０ラインの有効画素領域が存在する。
図３に示すように、ドラフトモードでは、この有効画素領域から縦１２ラインおきに４ラインずつを間引いて垂直転送する。これら４ラインは、水平ＣＣＤ（不図示）において、２ラインずつ加算される。
【００２５】
その結果、縦１５５０ラインは、およそ１／６に間引かれ、縦２５８ラインかつ高速フレームレート（３０フレーム／秒）のドラフト画像が生成される。
このドラフト画像は、画像処理回路１６によってモニタ表示用の画像処理が施される。このとき、画像処理回路１６内の色補間部４８、空間フィルタ５１などにおいて、２次元フィルタ処理が実施される。これらの２次元フィルタ処理では、ドラフト画像の画面端において演算処理に必要な画素ブロックが揃わず、画素が欠落する。
【００２６】
例えば、５×５画素の画素ブロックを必要とする２次元フィルタ処理を４段カスケードに実行した場合、図４に示すように上下左右の画面端がそれぞれ８画素分ずつ欠落する。
この場合、画像処理を終えたドラフト画像は、縦２５８ラインから縦２４２ラインに低減する。このとき、ドラフト画像のライン数が低減する比率（低減比率）は、
縦方向の低減比率＝２４２／２５８≒９３．８％
である。このように、液晶パネル２０にモニタ表示されるドラフト画像は、縦方向の画角（視野）が９３．８％ほど狭くなる。
このモニタ表示と同画角まで、縦１５５０ラインの記録画像の画角を狭めるには、下式の計算に従って、記録画像の中央から１４５２ラインを切り出せばよい。
【００２７】
（記録画像の縦ライン数）×（縦方向の低減率）
＝縦１５５０ライン×９３．８％
≒縦１４５２ライン
【００２８】
なお、電子カメラ１１では、記録画像のアスペクト比の仕様値が、横４：縦３に予め定められている。
そこで、上述した縦方向の画角調整を含めて、記録画像のアスペクト比を調整する。この場合、縦１４５２画素に対してアスペクト比４／３を乗じることにより、横１９３６画素が得られる。したがって、記録画像は、『縦方向の画角調整』および『横方向のアスペクト比調整』を経ることにより、『横１９３６画素×１４５２ライン』となる。
【００２９】
このような画像の切り出し機能は、解像度変換部５０が有する。そこで、ＭＰＵ２４は、記録画像の画像処理時に、解像度変換部５０に『横１９３６画素×１４５２ライン』の切り出しを設定する。
解像度変換部５０は、この画角調整の設定に従って、図５に示すように記録画像の上下左右端を切り落とし、『横１９３６画素×１４５２ライン』の記録画像を切り出す。なお、解像度変換部５０は、この記録画像の切り出しに際して、必要であれば解像度変換を併せて実施してもよい。
このように処理された画角調整済みの記録画像は、画像圧縮部１７およびカードＩＦ２９を介して、メモリカード３０に圧縮記録される。
【００３０】
（２）モニタ表示用の水平画角の調整
上述した切り出し機能により、記録画像の水平画角は、元々の横２０８８画素から、横１９３６画素へ狭められている。
一方、ドラフト画像は、撮像素子１３の出力時に、横２０８８画素の有効画素数を有する。この横方向の有効画素は、上述した２次元フィルタ処理を経て、横２０７２画素に減らされる。
【００３１】
このドラフト画像の横２０７２画素は、記録画像の横１９３６画素よりも水平画角が広い。そのため、ドラフト画像のモニタ表示の左右端に写るものが、記録画像には写らない。このままでは、ユーザーは、モニタ表示を基準にして、記録画像の横方向の撮影範囲を正確に把握できない。
この場合、ドラフト画像の左右端を切り落として、横２０７２画素から横１９３６画素に調整することにより、モニタ表示の水平画角と記録画像の水平画角とを一致させることができる。（ちなみに、ドラフト画像の画素アスペクトを正方化する横解像度の変換後であれば、横３４４画素の左右端を切り落として、横３２２画素に調整すればよい。）
【００３２】
そこで、ＭＰＵ２４は、ドラフト画像の画像処理時に、解像度変換部５０に対して、上述した左右端の切り落としを設定する。
その結果、解像度変換部５０は、この設定に従って、左右端の切り落としと横解像度の変換を一緒に実施し、横３２２画素×縦２４２ラインのドラフト画像を出力する。
このように処理されたドラフト画像は、画像処理回路１６から出力された後、表示コントローラ１９を介して、液晶パネル２０にモニタ表示（動画表示）される。
【００３３】
［本実施形態の効果など］
以上説明したように、本実施形態では、ドラフト画像が画像処理からモニタ表示までにライン数が低減する比率（以下『低減比率』）に応じて、記録画像の画面端のラインを削除する。その結果、モニタ表示されるドラフト画像の縦画角と、記録画像の縦画角を略一致させることが可能になる。このような、記録画像の縦画角調整により、ユーザーはドラフト画像のモニタ表示に基づいて、記録画像の縦方向の撮影範囲を正確に把握することが可能になる。
【００３４】
特に、横位置の人物撮影において、ユーザーは、モニタ表示を見ながら、記録画像に入る人間の大きさ（バストショット、ウェストショット、全身ショットなど）を正確かつ詳細にレイアウト調整することができる。
【００３５】
さらに、本実施形態では、記録画像の上下端の切り落としに合わせて、左右端も切り落とすことにより、記録画像のアスペクト比を仕様値に一致させる。そのため、記録画像の印刷や画像表示に際して、画像の縦サイズが横サイズに比べて不足し、上限端に余白を生じるなどの弊害を回避できる。
【００３６】
また、本実施形態では、記録画像の左右端の切り落としに合わせて、ドラフト画像の側部を削除してモニタ表示用の画像を生成している。その結果、ユーザーは、モニタ表示に基づいて、記録画像の横方向の撮影範囲を正確に把握することも可能になる。
【００３７】
［実施形態の補足事項］
なお、上述した実施形態では、モニタ表示の画角と、記録画像の画角を略一致させる場合について説明している。この場合、ユーザーはモニタ表示を参照して、記録画像の撮影範囲を極めて正確に把握し、記録画像の撮影レイアウトを厳密に決定できるという利点がある。
【００３８】
しかしながら、本発明はこれに限定されるものではない。例えば、ドラフト画像の低減比率をファインダー視野率（縦比率）の仕様値で除した比率で、記録画像の画面端のラインを削除してもよい。例えば、図５に示すように、縦比率９６％のファインダ視野率であれば、記録画像から横２０１６画素×縦１５１２ラインを切り出せばよい。このようなファインダ視野率の設定により、記録画像から捨てられてしまう周辺部の画像情報をなるべく少なくすることができる。
【００３９】
この場合、『記録画像の水平画角』と『モニタ表示の水平画角』を略一致させるには、ドラフト画像の側部画素を省いて、横３３６画素×縦２４２ライン分のドラフト画像をモニタ表示すればよい。
【００４０】
また、記録画像の水平画角に『ファインダ視野率（横比率）の仕様値』を乗じた値と、モニタ表示の水平画角とを略一致させてもよい。この場合、横比率９６％のファインダ視野率であれば、ドラフト画像の側部画素を省いて、横３２２画素×縦２４２ライン分のドラフト画像をモニタ表示すればよい。
【００４１】
また、上述した実施形態では、解像度変換部５０において、記録画像およびドラフト画像の画角調整を行っている。しかしながら、本発明はこれに限定されるものではない。一般的には、記録画像またはドラフト画像の周辺部を本発明のルールに従って調整する画角調整部を設ければよい。
【００４２】
例えば、このような画角調整部としては、撮像素子１３のアナログ出力にウィンドウを設けることによって、画像周辺部を切り落とすことが可能である。
【００４３】
また例えば、Ａ／Ｄ変換部１４の出力やリアルタイムの信号処理を終えた出力（いわゆるＲＡＷデータ）を、ＳＤＲＡＭ３５などのバッファに一旦蓄積した後、周辺部を捨てて画像処理回路１６に入力してもよい。
【００４４】
また、画角調整部の『ドラフト画像の水平画角を調整する機能』を、表示コントローラ１９などのモニタ表示機構によって実現することも可能である。すなわち、モニタ表示機構が、記録画像の水平画角に応じて、ドラフト画像の側部画素を省いてモニタ表示を実施すればよい。
【００４５】
なお、上述した実施形態では、画角調整済みの記録画像を必ず記録しているが、本発明はこれに限定されない。例えば、電子カメラ１１のカスタム設定などのユーザー操作に応じて、『画角調整済みの記録画像』と『画角未調整の記録画像』とを選択的に記録してもよい。このような動作により、スチル画像をフルサイズで記録したいというユーザーの要求に応えることができる。
【００４６】
さらに、撮影レンズ１２がズームレンズの場合には、ワイド端を除くズーム範囲において、画角調整部による画角調整済みの記録画像を選択的に記録し、ワイド端において画角調整未処理の記録画像を選択的に記録してもよい。この場合、ワイド端においてフルサイズに近い記録画像を自動的に記録することが可能になる。その結果、ズーム範囲のワイド側を実質的に広げることが可能になる。
【００４７】
また、この画角未調整の記録画像を、液晶パネル２０に再生表示する場合、ドラフト画像（ライブビュー）の画面サイズを示す表示（例えば図６に示す枠表示）を合成表示してもよい。このような再生表示により、ライブビューと記録画像の画角差に起因するユーザーの違和感を軽減することができる。さらに、このような再生表示を繰り返すことにより、ユーザーは、ライブビューと記録画像との画角差を感覚的に実感できようになる。その結果、ユーザーは、ライブビューから記録画像の撮影範囲を感覚的に把握できるようになる。
【００４８】
なお、上述した実施形態では、記録画像の周辺部を切り落とすことにより、ドラフト画像と記録画像の画角差を低減している。しかしながら、請求項８に記載の撮像装置を使用することによっても、ドラフト画像と記録画像の画角差を低減することができる。
【００４９】
すなわち、この請求項８の撮像装置（例えば、撮像素子や電子カメラ）は、ドラフト画像の上下端のライン間隔を、ドラフト画像の中央域のライン間隔よりも密に読み出す読み出し部を備える。例えば、このような読み出し動作は、有効画素領域の上下端の付近において、ラインの間引き間隔を密にする読み出しシーケンスを設定することによって実現できる。
【００５０】
この場合、ドラフト画像のその後の画像処理によって上下端のライン数が低減しても、上下端のライン間隔が密である分だけ、上下方向の画角変化は小さい。その結果、ドラフト画像と記録画像の画角差を低減することが可能になる。
【００５１】
なお、この上下端においてライン間隔を密にするライン数を、ドラフト画像の画像処理により低減する上下端のライン数に一致させることが非常に好ましい。この場合、ドラフト画像の画像処理後に、ライン間隔の密な領域が完全に無くなるため、ドラフト画像のライン間隔の不揃いを除去するための処理を省くことができる。
【００５２】
【発明の効果】
以上説明したように、本発明では、記録画像の上下端の画素を切り落とすことにより、ドラフト画像と記録画像の画角差を低減することができる。
また、本発明では、ドラフト画像の上下端のライン間隔を、ドラフト画像の中央域のライン間隔よりも密にする。この場合も、その後の２次元フィルタ処理によるドラフト画像の上下端の画角変化を抑制し、ドラフト画像と記録画像の画角差を低減することが可能になる。
【図面の簡単な説明】
【図１】本実施形態における電子カメラ１１のシステムブロック図である。
【図２】図１中に示す画像処理回路１６の内部ブロック図である。
【図３】ドラフト画像を説明する図である。
【図４】ドラフト画像の周辺部の欠落を説明する図である。
【図５】記録画像の画角調整を説明する図である。
【図６】記録画像の再生表示において、ドラフト画像の画面サイズを合成表示する一例を示す図である。
【図７】ドラフト画像の上下端のライン間隔を、中央域のライン間隔よりも密に読み出す例を説明する図である。
【符号の説明】
１１  電子カメラ
１２  撮影レンズ
１３  撮像素子
１４  Ａ／Ｄ変換部
１６  画像処理回路
１７  画像圧縮部
１８  ＦＩＦＯ
１９  表示コントローラ
２０  液晶パネル
２１  ピクチャーバス
２２  バスインターフェース
２３  システムバス
２４  ＭＰＵ
２７  ＵＳＢ
２９  カードＩＦ
３０  メモリカード
３１  シリアルポート
３２  レンズモータ駆動部
３３  シリアルポート
３４  タイミングジェネレータ
３５  ＳＤＲＡＭ
３６  ＲＯＭ
３７  Ｉ／Ｏデバイス
４１  欠陥補正部
４２  ＯＢクランプ部
４３  ゲイン／ＷＢ調整部
４４  出力バッファ
４５  入力バッファ
４６  出力バッファ
４７  ガンマ補正部
４８  色補間部
４９  色変換部
５０  解像度変換部
５１  空間フィルタ
５２  間引き部
５３  出力バッファ
【図１】
2005012521.tif 000003
【図２】
2005012521.tif 000004
【図３】
2005012521.tif 000005
【図４】
2005012521.tif 000006
【図５】
2005012521.tif 000007
【図６】
2005012521.tif 000008
【図７】
2005012521.tif 000009